(57)【要約】【課題】  学童等が安心して楽しく使用することができる彫刻刀を提供する。【解決手段】  ケース本体の一側に設けた彫刻刀の取り出し口の下端縁と、この取出し口に合致し、取り出し口から突出する彫刻刀の柄を被覆する蓋体の開口部の下端縁とを、蓋体がケース本体の下方へ開放し得るように軸着すると共に、この軸部に開放方向に付勢するばねを装着し、且つケース本体の取り出し口と蓋体の開口部との天板をラッチ機構により連結してなり、上記ラッチ機構を外すと、蓋体がケース本体の下側に自動的に回動する。【選択図】      図４
2005334391.tif 000002
【特許請求の範囲】
【請求項１】
ケース本体の一側に設けた彫刻刀の取り出し口の下端縁と、この取出し口に合致し、取り出し口から突出する彫刻刀の柄を被覆する蓋体の開口部の下端縁とを、蓋体がケース本体の下方へ開放し得るように軸着すると共に、この軸部に開放方向に付勢するばねを装着し、且つケース本体の取り出し口と蓋体の開口部との天板をラッチ機構により連結したことを特徴とする彫刻刀ケース。
【請求項２】
軸部に、ばねの弾発力を緩衝するオイルダンパーを装着したことを特徴とする請求項１記載の彫刻刀ケース。
【請求項３】
ラッチ機構を、可撓性を有するケース本体の天板の中央部より取り出し口の前方に突設した支持片と、蓋体の開口部に突設した係止部とにより形成し、上記支持部の凹部に係止部を着脱自在に係合させたことを特徴とする請求項１又は２記載の彫刻刀ケース。
【発明の詳細な説明】
【技術分野】
【０００１】
本発明は、学童や一般人が使用する彫刻刀ケースに関するものである。
【背景技術】
【０００２】
学童等が使用する彫刻刀ケースとしては、ケース本体の一側に設けた彫刻刀の取り出し口に蝶着した蓋体をケース本体の下側に折り返して使用するものが実開平１−１６１６２１号公報に開示されている。
【０００３】
この彫刻刀ケースは、ケース本体の一側が蓋体により持ち上げられた状態となり、ケース内の彫刻刀の出し入れが容易である。しかし蓋体を開放する場合、ケース本体と蓋体とを両手で持ち、蓋体をケース本体の下側に折り返して机上に置かなければならないので、取り扱いが不便であり、取り扱い中にケース本体内の彫刻刀を誤って落下させ、足等に怪我をする虞がある。
【特許文献１】実開平１−１６１６２１号公報
【発明の開示】
【発明が解決しようとする課題】
【０００４】
本発明が解決しようとする課題は、学童や一般人に扱い易くて怪我をすることのない彫刻刀ケースを提供することである。
【課題を解決するための手段】
【０００５】
上記課題を達成するために、請求項１の発明は、ケース本体の一側に設けた彫刻刀の取り出し口の下端縁と、この取出し口に合致し、取り出し口から突出する彫刻刀の柄を被覆する蓋体の開口部の下端縁とを、蓋体がケース本体の下方へ開放し得るように軸着すると共に、この軸部に開放方向に付勢するばねを装着し、且つケース本体の取り出し口と蓋体の開口部との天板をラッチ機構により連結したことを特徴としている。
【０００６】
この発明に係る彫刻刀ケースを机上に置き、ケース本体と蓋体とを連結したラッチ機構を外すと、蓋体は軸部に設けたばねの弾発力により、軸部を中心に回動してケース本体の下側に回り込み、彫刻刀の取り出し口側を持ち上げてケース本体を傾斜させ、彫刻刀を取り出し口から斜め上向きに突出させる。また開口したケース本体と蓋体とを両手で持ち、ばねの弾発力に抗して回動させ、取り出し口に蓋体の開口部を合致させると、ケース本体と蓋体はラッチ機構により連結されて彫刻刀は被覆される。
【０００７】
請求項２の発明は、上記請求項１の発明における軸部に、ばねの弾発力を緩衝するオイルダンパーを装着したことを特徴としている。
【０００８】
この発明に係る彫刻刀ケースを机上に置いてラッチ機構を外すと、蓋体はオイルダンパーにより緩衝されたばねの弾発力により、軸部を中心に緩やかに回動して彫刻刀の取り出し口側を持ち上げ、彫刻刀を斜め上向きに突出させる。
【０００９】
請求項３の発明は、請求項１又は２記載の発明におけるラッチ機構を、可撓性を有するケース本体の天板の中央部より取り出し口の前方に突設した支持片と、蓋体の開口部に突設した係止部とにより形成し、上記支持部の凹部に係止部を着脱自在に係合させたことを特徴としている。
【００１０】
この発明に係る彫刻刀ケースは、ケース本体の可撓性を有する天板を押し下げると、天板から突出した支持部凹部から蓋体に設けた係止部が離脱してラッチ機構が外れ、蓋体は軸部に設けたばねの弾発力によりケース本体の下側に回動し、開口した取り出し口から彫刻刀を突出させる。また開口したケース本体と蓋体とを両手で持ち、ばねの弾発力に抗して回動させ、取り出し口に蓋体の開口部を合致させると蓋体の係止部が支持部の凹部に係合してラッチ機構が閉じ、ケース本体と蓋体は連結され、彫刻刀は被覆される。
【発明の効果】
【００１１】
本発明に係る請求項１〜３の彫刻刀ケースは、机上に置いてラッチ機構を外すと、軸部に設けたばねの弾発力により蓋体が開放方向に自動的に回動してケース本体の下側に入り込み、ケース本体を傾斜させて彫刻刀の取り出し口を上向きに開口させるから、彫刻刀の出し入れが容易である。しかも蓋体の開放動作が机上に置いた状態で自動的に行われるため、誤ってケース本体から彫刻刀を滑り落として足等に怪我をすることがない。また学童等に十分に興味を抱かせることができる。
【００１２】
請求項２の彫刻刀ケースは、軸部に設けたオイルダンパーにより、ばねの弾発力が緩衝され、蓋体の開放が滑らかに且つ静かになり、その動きの面白味と相俟って取り扱いが安全であるから、幼児や低学年の児童用としても適切である。
【００１３】
請求項３の彫刻刀ケースは、天板の可撓性を利用して支持部の凹部から係止部を離脱し、蓋体を開放するものであるから、リッチ機構が極めて簡単であり、低コストの彫刻刀を学童等に提供することができる。
【発明を実施するための最良の形態】
【００１４】
以下、本発明の実施形態を図１〜６を参照して詳細に説明する。図１は本発明に係る彫刻刀ケースの平面図、図２は同上側面図、図３はラッチ機構を示す縦断面図、図４は蓋体の開放状態の縦断面図、図５は図４に示すＡ−Ａ線の断面図、図６はオイルダンパーの縦断面図である。
【００１５】
符号１はケース本体であり、その一側には彫刻刀２の取り出し口３を設け、内部には複数本の彫刻刀２を分離して収納するための仕切り板４、及び支持板５を形成している。また符号６はケース本体１の取り出し口３に合致する開口部７を有する蓋体である。
【００１６】
上記ケース本体１における取り出し口３の下端縁と、蓋体６における開口部７の下端縁とを、蓋体６がケース本体１の下側へ開放し得るようにオイルダンパー８を用いて軸着している。
【００１７】
上記オイルダンパー８は、図６に示すように、外側に突軸９を設けた外筒１０と、その内側に回動自在に嵌合し且つ外側に突軸１１を設けた内筒１２とにより筒軸１３を形成し、この筒軸１３内にコイルばね１４を収容してその一端を外筒１０に、他端を内筒１２に固定すると共に筒軸１３内にオイルを充填している。
【００１８】
このように構成されたオイルダンパー８をケース本体１における取り出し口３の下端縁の左右に固定し、オイルダンパー８間に、蓋体６における開口部７の下端縁に突設した連結軸１５を嵌入し、この連結軸１５の両端に設けた凹部１６に前記内筒１２の突軸１１を嵌着し、ケース本体１に蓋体６を軸着している。
【００１９】
ケース本体１の取り出し口３と蓋体６の開口部７との近傍には、図３に示すようにラッチ機構Ｒを形成している。このラッチ機構Ｒは、ケース本体１の可撓性を有する天板１７上に押圧部１８を設け、天板１７の下面中央部より取り出し口３の前方に支持片１９を突設し、この支持片１９に穿設した縦孔よりなる凹部２０に、蓋体６における開口部７の下面に突設した係止部２１を着脱自在に係合することにより、蓋体６の開放を阻止している。
【００２０】
上記のように構成した彫刻刀ケース内に彫刻刀２を収容し、図３に矢印Ｙで示すようにケース本体１の押圧部１８を押して天板１７を変形させ、支持片１９を下降させると、支持片１９の凹部２０から蓋体６の係止部２１が離脱する。ラッチ機構Ｒが外れると、蓋体６は軸部におけるコイルばね１４の弾発力により、緩やかに回動して図４に示すようにケース本体１の下側に回り込んでケース本体１を傾斜させる。そのため彫刻刀２の柄は取り出し口３から斜め上方に突出する。この状態において、蓋体６をコイルばね１４に抗して手動にて回動させ、係止部２１を凹部２０に係合すれば、蓋体６の開放が阻止され、図１及び図２の状態が維持される。
【００２１】
上記実施形態では、取出し口３の下端縁の左右にオイルダンパー８を固定し、開口部７の下端縁の中央部に連結軸１５を設けたが、取り出し口３の下端縁の左右に連結軸１５を固定し、開口部７の下端縁の中央部にオイルダンパー８を固定して軸部を形成することもある。また適切な弾発力のばねを枢軸に外装し、その一端をケース本体１側に、他端を蓋体６側に固定することにより、オイルダンパーを省略した軸部を形成することもある。
【００２２】
上記実施形態のリッチ機構Ｒは、ケース本体１側の支持片１９の凹部２０に蓋体６側の係止部２１を係合することにより、取り出し口３の開口部７による密閉状態を維持するようにしたが、上記支持片１９に係止部を突設し、この係止部を蓋体６側に設けた凹部に係合するように形成することもある。
【図面の簡単な説明】
【００２３】
【図１】本発明に係る彫刻刀ケースの実施の形態を示す平面図である。
【図２】同上実施の形態の側面図である。
【図３】同上実施の形態におけるラッチ機構を示す縦断面図である。
【図４】同上実施の形態における蓋体の開放状態の縦断面図である。
【図５】図４に示すＡ−Ａ線の断面図である。
【図６】同上実施の形態におけるオイルダンパーの縦断面図である。
【符号の説明】
【００２４】
１        ケース本体
２        彫刻刀
３        取り出し口
４        仕切り版
５        支持板
６        蓋  体
７        開口部
８        オイルダンパー
９        突  軸
１０      外  筒
１１      突  軸
１２      内  筒
１３      筒  軸
１４      コイルばね
１５      連結軸
１６      凹  部
Ｒ        ラッチ機構
１７      天  板
１８      押圧部
１９      支持片
２０      凹  部
２１      係止部
２２      蓋体押さえ板
【図１】
2005334391.tif 000003
【図２】
2005334391.tif 000004
【図３】
2005334391.tif 000005
【図４】
2005334391.tif 000006
【図５】
2005334391.tif 000007
【図６】
2005334391.tif 000008